(57)【特許請求の範囲】
【請求項１】
物体側から順に配置された、正の屈折力を有する第１レンズ群と、負の屈折力を有する第２レンズ群と、開口絞りと、正の屈折力を有する第３レンズ群と、から構成され、
前記第３レンズ群を光軸に沿って像側から物体側へ移動させることにより広角端から望遠端への変倍を行い、
前記第２レンズ群を光軸に沿って物体側から像側へ移動させることにより変倍にともなう像面位置の変動の補正を行うズームレンズであって、
前記第１レンズ群は、負レンズと、正レンズとを含み構成され、
前記第２レンズ群は、物体側から順に、２枚の負レンズと、１枚の正レンズとが配置されて構成され、
前記第３レンズ群は、物体側から順に、非球面を有する正レンズを含み全体として正の屈折力を有する前群と、負の屈折力を有し少なくとも正レンズと負レンズとからなる接合レンズのみで構成される中群と、正の屈折力を有する後群と、が配置されて構成され、
前記第３レンズ群中には負の屈折力を有する接合レンズが１組のみ配置されており、
以下に示す条件式を満足することを特徴とするズームレンズ。
（１）  ０．７≦ｆｗ／ｆ３≦１．０
（２）  −１．０≦ｆ３／ｆ２≦−０．５
ただし、ｆｗは光学系全系の広角端における焦点距離、ｆ２は前記第２レンズ群の焦点距離、ｆ３は前記第３レンズ群の焦点距離を示す。
【請求項２】
以下に示す条件式を満足することを特徴とする請求項１に記載のズームレンズ。
（３）  ４５≦ν３Ｆ−ν３Ｂ≦７０
（４）  ０．４≦Ｎｄ３Ｂ−Ｎｄ３Ｆ≦０．７
ただし、ν３Ｆは前記第３レンズ群の最も物体側に配置されているレンズのｄ線に対するアッベ数、ν３Ｂは前記第３レンズ群の最も像側に配置されているレンズのｄ線に対するアッベ数、Ｎｄ３Ｆは前記第３レンズ群の最も物体側に配置されているレンズのｄ線に対する屈折率、Ｎｄ３Ｂは前記第３レンズ群の最も像側に配置されているレンズのｄ線に対する屈折率を示す。
【請求項３】
以下に示す条件式を満足することを特徴とする請求項１または２に記載のズームレンズ。
（５）  ０．３≦ｆｔ／ｆ１≦０．６
ただし、ｆｔは光学系全系の望遠端における焦点距離、ｆ１は前記第１レンズ群の焦点距離を示す。
【請求項４】
以下に示す条件式を満足することを特徴とする請求項１〜３のいずれか一つに記載のズームレンズ。
（６）  ５０≦｜ν１２−ν１１｜≦６０
（７）  ２．０≦Ｄ／ｆｔ≦２．３
（８）  ０．３≦ｆ３／ｆｔ≦０．６
ただし、ν１１は前記第１レンズ群の最も物体側に配置されているレンズのｄ線に対するアッベ数、ν１２は前記第１レンズ群の物体側から２番目に配置されているレンズのｄ線に対するアッベ数、Ｄは前記第１レンズ群の最も物体側に配置されているレンズの物体側面頂から像面までの距離、ｆ３は前記第３レンズ群の焦点距離、ｆｔは光学系全系の望遠端における焦点距離を示す。
【発明の詳細な説明】
【技術分野】
【０００１】
この発明は、ＣＣＤ（Ｃｈａｒｇｅｄ  Ｃｏｕｐｌｅｄ  Ｄｅｖｉｃｅ）やＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）などの固体撮像素子が備えられた撮像装置に好適なズームレンズに関する。
【背景技術】
【０００２】
近年、デジタルカメラやビデオカメラなどの撮像装置に搭載されている固体撮像素子の高画素化が促進されている。このような固体撮像素子を搭載した撮像装置に用いられる光学系も、被写体のより細やかな特徴を確認できる高性能のものが要求されており、かかる要求を満足するために開発された光学系も多数登場してきている（たとえば、特許文献１〜４を参照。）。
【先行技術文献】
【特許文献】
【０００３】
【特許文献１】特許第２８９９０１９号公報
【特許文献２】特開平６−１３８３９０号公報
【特許文献３】特開２０１０−２３７４５５号公報
【特許文献４】特開２００５−２２７５０７号公報
【発明の概要】
【発明が解決しようとする課題】
【０００４】
近年、防犯目的等で信頼性の高い証拠を記録するために、監視カメラにも高解像撮影が要求されている。高解像撮影を行うためには、長焦点距離を備え、明るい被写体像が得られる光学系が要求される。
【０００５】
また、監視カメラでは、通常、昼間は可視光による撮影を行い、夜間は近赤外光による撮影を行う。したがって、監視カメラに用いる光学系としては、可視域から近赤外域までの広い波長域に対応したものが必要となる。一般に、可視域用として設計された光学系では、特に、近赤外領域において色収差が発生し、夜間の近赤外領域での撮影の際にピントずれを起こしてしまう。このため、監視カメラに用いる光学系には、特に、可視域から近赤外域まで色収差が良好に補正されることが強く要求される。
【０００６】
さらに、防犯目的のために用いる監視カメラは、目立たないように、できるだけ小さいものが望ましい。これにともない、監視カメラに用いる光学系も小型の筐体内に収容可能なコンパクトさが要求される。
【０００７】
特許文献１に記載の光学系は、３程度の変倍比を有し、変倍時の収差変動も良好に補正されているが、Ｆナンバーが２．０〜２．８程度と暗いレンズである。加えて、近赤外光の収差補正がなされていない。したがって、監視カメラに用いる光学系としては適切ではない。
【０００８】
特許文献２に記載の光学系は、全長が短くコンパクトだが、広角系のレンズにもかかわらずＦナンバーが大きく、色収差補正も不十分であるため、近赤外光の結像性能に問題がある。加えて、開口絞りから結像面までの距離が長く、長焦点距離化すると小型の監視カメラに収容することが困難である。
【０００９】
特許文献３に記載の光学系は、高倍率ズームレンズにしては全長が比較的短く小型の監視カメラに収容するのには好都合であるが、Ｆナンバーが大きく、色収差補正も不十分であるため、近赤外光の結像性能に問題がある。
【００１０】
特許文献４に記載の光学系は、Ｆナンバーが１．４〜２．０程度で変倍比が１０倍の高倍率ズームレンズであり、近赤外光の収差補正に優れている。しかしながら、可視光の結像性能が低く、全長が長いため、小型監視カメラ用の光学系としては適切でない。
【００１１】
この発明は、上述した従来技術による問題点を解消するため、可視域から近赤外域までの広い波長域の光に対する優れた結像性能を備えた、明るく小型のズームレンズを提供することを目的とする。
【課題を解決するための手段】
【００１２】
上述した課題を解決し、目的を達成するため、この発明にかかるズームレンズは、物体側から順に配置された、正の屈折力を有する第１レンズ群と、負の屈折力を有する第２レンズ群と、開口絞りと、正の屈折力を有する第３レンズ群と、から構成され、前記第３レンズ群を光軸に沿って像側から物体側へ移動させることにより広角端から望遠端への変倍を行い、前記第２レンズ群を光軸に沿って物体側から像側へ移動させることにより変倍にともなう像面位置の変動の補正を行うズームレンズであって、前記第１レンズ群は、負レンズと、正レンズとを含み構成され、前記第２レンズ群は、物体側から順に、２枚の負レンズと、１枚の正レンズとが配置されて構成され、前記第３レンズ群は、物体側から順に、非球面を有する正レンズを含み全体として正の屈折力を有する前群と、負の屈折力を有し少なくとも正レンズと負レンズとからなる接合レンズのみで構成される中群と、正の屈折力を有する後群と、が配置されて構成され、前記第３レンズ群中には負の屈折力を有する接合レンズが１組のみ配置されており、以下に示す条件式を満足することを特徴とする。
（１）  ０．７≦ｆｗ／ｆ３≦１．０
（２）  −１．０≦ｆ３／ｆ２≦−０．５
ただし、ｆｗは光学系全系の広角端における焦点距離、ｆ２は前記第２レンズ群の焦点距離、ｆ３は前記第３レンズ群の焦点距離を示す。
【００１３】
この発明によれば、可視域から近赤外域までの広い波長域の光に対する優れた結像性能を備えた、明るく小型のズームレンズを実現することができる。
【００１４】
この発明にかかるズームレンズは、前記発明において、以下に示す条件式を満足することを特徴とする。
（３）  ４５≦ν３Ｆ−ν３Ｂ≦７０
（４）  ０．４≦Ｎｄ３Ｂ−Ｎｄ３Ｆ≦０．７
ただし、ν３Ｆは前記第３レンズ群の最も物体側に配置されているレンズのｄ線に対するアッベ数、ν３Ｂは前記第３レンズ群の最も像側に配置されているレンズのｄ線に対するアッベ数、Ｎｄ３Ｆは前記第３レンズ群の最も物体側に配置されているレンズのｄ線に対する屈折率、Ｎｄ３Ｂは前記第３レンズ群の最も像側に配置されているレンズのｄ線に対する屈折率を示す。
【００１５】
この発明によれば、可視域から近赤外域までの広い波長域の光の軸上色収差、像面湾曲、球面収差をより良好に補正することができる。
【００１８】
この発明にかかるズームレンズは、前記発明において、以下に示す条件式を満足することを特徴とする。
（５）  ０．３≦ｆｔ／ｆ１≦０．６
ただし、ｆｔは光学系全系の望遠端における焦点距離、ｆ１は前記第１レンズ群の焦点距離を示す。
【００１９】
この発明によれば、全変倍域において諸収差を良好に補正することができる。特に、球面収差と軸上色収差を良好に補正することができる。
【００２０】
この発明にかかるズームレンズは、前記発明において、以下に示す条件式を満足することを特徴とする。
（６）  ５０≦｜ν１２−ν１１｜≦６０
（７）  ２．０≦Ｄ／ｆｔ≦２．３
（８）  ０．３≦ｆ３／ｆｔ≦０．６
ただし、ν１１は前記第１レンズ群の最も物体側に配置されているレンズのｄ線に対するアッベ数、ν１２は前記第１レンズ群の物体側から２番目に配置されているレンズのｄ線に対するアッベ数、Ｄは前記第１レンズ群の最も物体側に配置されているレンズの物体側面頂から像面までの距離、ｆ３は前記第３レンズ群の焦点距離、ｆｔは光学系全系の望遠端における焦点距離を示す。
【００２１】
この発明によれば、光学系のコンパクト性を損なうことなく、結像性能をより向上させることができる。
【発明の効果】
【００２２】
この発明によれば、可視域から近赤外域までの広い波長域の光に対する優れた結像性能を備えた、明るく小型のズームレンズを提供することができるという効果を奏する。
【図面の簡単な説明】
【００２３】
【図１】実施例１にかかるズームレンズの構成を示す光軸に沿う断面図である。
【図２】実施例１にかかるズームレンズの諸収差図である。
【図３】実施例２にかかるズームレンズの構成を示す光軸に沿う断面図である。
【図４】実施例２にかかるズームレンズの諸収差図である。
【図５】実施例３にかかるズームレンズの構成を示す光軸に沿う断面図である。
【図６】実施例３にかかるズームレンズの諸収差図である。
【図７】実施例４にかかるズームレンズの構成を示す光軸に沿う断面図である。
【図８】実施例４にかかるズームレンズの諸収差図である。
【図９】実施例５にかかるズームレンズの構成を示す光軸に沿う断面図である。
【図１０】実施例５にかかるズームレンズの諸収差図である。
【図１１】実施例６にかかるズームレンズの構成を示す光軸に沿う断面図である。
【図１２】実施例６にかかるズームレンズの諸収差図である。
【図１３】実施例７にかかるズームレンズの構成を示す光軸に沿う断面図である。
【図１４】実施例７にかかるズームレンズの諸収差図である。
【図１５】実施例８にかかるズームレンズの構成を示す光軸に沿う断面図である。
【図１６】実施例８にかかるズームレンズの諸収差図である。
【発明を実施するための形態】
【００２４】
以下、この発明にかかるズームレンズの好適な実施の形態を詳細に説明する。
【００２５】
この発明にかかるズームレンズは、物体側から順に配置された、正の屈折力を有する第１レンズ群と、負の屈折力を有する第２レンズ群と、開口絞りと、正の屈折力を有する第３レンズ群と、から構成される。そして、第３レンズ群を光軸に沿って像側から物体側へ移動させることにより広角端から望遠端への変倍を行い、第２レンズ群を光軸に沿って物体側から像側へ移動させることにより変倍にともなう像面位置の変動の補正を行う。
【００２６】
この発明は、可視域から近赤外域までの広い波長域の光に対する優れた結像性能を備えた、明るく小型のズームレンズを提供することを目的としている。そこで、かかる目的を達成するため、以下に示すような各種条件を設定している。
【００２７】
まず、この発明にかかるズームレンズでは、前記構成に加え、第１レンズ群が、負レンズと、正レンズとを含み構成されている。この構成により、特に、光学系の望遠端における軸上色収差を良好に補正することができる。
【００２８】
また、第２レンズ群が、物体側から順に、２枚の負レンズと、１枚の正レンズとが配置されて構成されている。第２レンズ群が２枚の負レンズを含んでいることにより、変倍時の第３レンズ群の移動量が抑制され、光学系の小型化が促進される。また、第２レンズ群が１枚の正レンズを含んでいることにより、倍率色収差、軸上色収差の補正が良好になる。
【００２９】
さらに、第３レンズ群が、物体側から順に、非球面を有する正レンズを含み全体として正の屈折力を有する前群と、負の屈折力を有し少なくとも正レンズと負レンズとからなる接合レンズのみで構成される中群と、正の屈折力を有する後群と、が配置されて構成されている。第３レンズ群中には負の屈折力を有する接合レンズが１組のみ配置されている。第３レンズ群において、前群に非球面を有する正レンズを備えたことにより、球面収差を良好に補正することができる。また、中群に正レンズと負レンズとからなる接合レンズを備えたことにより、光学系の広角端における軸上色収差と望遠端における倍率色収差の補正に優れた効果を発揮する。また、球面収差の補正の効果もある。さらに、後群が正の屈折力を備えていることにより、像面湾曲を良好に補正することができる。なお、後群は全体として正の屈折力を備えていればよく、複数のレンズで構成されていても差し支えないが、光学系の小型化、低コスト化を考慮すると、１枚の正レンズで構成されていることが好ましい。
【００３０】
この発明にかかるズームレンズは、以上のような構成のもと、光学系全系の広角端における焦点距離をｆｗ、第２レンズ群の焦点距離をｆ２、第３レンズ群の焦点距離をｆ３とするとき、次の条件式を満足することが好ましい。
（１）  ０．７≦ｆｗ／ｆ３≦１．０
（２）  −１．０≦ｆ３／ｆ２≦−０．５
【００３１】
条件式（１），（２）は、いずれも光学系の小型化と、結像性能の向上を図るための条件を示すものである。条件式（１），（２）を満足することで、明るいレンズを実現しても諸収差の発生を抑えることができる。条件式（１）においてその下限を下回ると、第３レンズ群の正の屈折力が弱くなりすぎ、変倍時の第３レンズ群の移動量が増え、光学系の小型化が阻害される。一方、条件式（１）においてその上限を超えると、球面収差の補正が過剰になり、近赤外光の結像性能の低下を招くとともに可視光の像面湾曲が顕著になるため、好ましくない。また、条件式（２）においてその下限を下回ると、第２レンズ群の屈折力が弱くなりすぎ、特に望遠端におけるコマ収差補正が困難になる。一方、条件式（２）においてその上限を超えると、第３レンズ群の屈折力が弱くなりすぎ、変倍時の第３レンズ群の移動量が増え、光学系の小型化が阻害される。
【００３２】
さらに、この発明にかかるズームレンズでは、第３レンズ群の最も物体側に配置されているレンズのｄ線に対するアッベ数をν３Ｆ、第３レンズ群の最も像側に配置されているレンズのｄ線に対するアッベ数をν３Ｂ、第３レンズ群の最も物体側に配置されているレンズのｄ線に対する屈折率をＮｄ３Ｆ、第３レンズ群の最も像側に配置されているレンズのｄ線に対する屈折率をＮｄ３Ｂとするとき、次の条件式を満足することを特徴とする。
（３）  ４５≦ν３Ｆ−ν３Ｂ≦７０
（４）  ０．４≦Ｎｄ３Ｂ−Ｎｄ３Ｆ≦０．７
【００３３】
条件式（３）、（４）は、可視域から近赤外域までの広い波長域の光に対して良好な収差補正を実現するための条件を示すものである。条件式（３）においてその下限を下回ると、軸上色収差の補正が困難になり、特に近赤外光に対する結像性能が劣化する。一方、条件式（３）においてその上限を超えると、軸上色収差の補正が過剰となって、倍率色収差との補正バランスが悪化する。また、条件式（４）においてその下限を下回ると、像面湾曲の補正が困難になり、特に広角端における可視光の結像性能が劣化する。一方、条件式（４）においてその上限を超えると、球面収差の補正が困難になり、特に広角端における可視光の軸上の解像力が低下する。
【００３６】
この発明にかかるズームレンズでは、光学系全系の望遠端における焦点距離をｆｔ、第１レンズ群の焦点距離をｆ１とするとき、次の条件式を満足することが好ましい。
（５）  ０．３≦ｆｔ／ｆ１≦０．６
【００３７】
条件式（５）は、全変倍域において諸収差を良好に補正するための条件を示すものである。条件式（５）においてその下限を下回ると、第１レンズ群の屈折力が弱くなりすぎ、特に望遠端におけるコマ収差の補正が困難になり、周辺部の解像力が低下する。一方、条件式（５）においてその上限を超えると、第１レンズ群の屈折力が強くなりすぎ、特に望遠端における球面収差の補正が過剰になり、結像性能が劣化する。
【００３８】
さらに、この発明にかかるズームレンズでは、第１レンズ群の最も物体側に配置されているレンズのｄ線に対するアッベ数をν１１、第１レンズ群の物体側から２番目に配置されているレンズのｄ線に対するアッベ数をν１２、第１レンズ群の最も物体側に配置されているレンズの物体側面頂から像面までの距離をＤ、第３レンズ群の焦点距離をｆ３、光学系全系の望遠端における焦点距離をｆｔとするとき、次の条件式を満足することが好ましい。
（６）  ５０≦｜ν１２−ν１１｜≦６０
（７）  ２．０≦Ｄ／ｆｔ≦２．３
（８）  ０．３≦ｆ３／ｆｔ≦０．６
【００３９】
条件式（６）は、光学系の望遠端における結像性能を向上させるための条件を示すものである。条件式（６）においてその下限を下回ると、望遠端における軸上色収差補正が困難になり、軸上の近赤外光の結像性能が劣化する。一方、条件式（６）においてその上限を超えると、望遠端における軸上色収差の補正が過剰になり、周辺部の青フレアーの発生が顕著になる。
【００４０】
条件式（７）は、光学系の小型化、高変倍化を図りながら、結像性能を向上させるための条件を示すものである。条件式（７）においてその下限を下回ると、光学系の長焦点距離化を図った場合に、像面湾曲が大きく発生し、結像性能が劣化する。一方、条件式（７）においてその上限を超え、光学系の長焦点距離化を実現しようとすると、光学系の全長が延び、小型の撮像装置への収容が困難になる。
【００４１】
条件式（８）は、光学系の小型化を図りながら、結像性能を向上させるための条件を示すものである。条件式（８）においてその下限を下回ると、球面収差の補正が過剰になって、近赤外光の結像性能の劣化を招くとともに可視光の像面湾曲が顕著になるため、好ましくない。一方、条件式（８）においてその上限を超えると、第３レンズ群の正の屈折力が弱くなりすぎ、変倍時の第３レンズ群の移動量が増え、光学系の小型化が阻害される。
【００４２】
また、この発明にかかるズームレンズにおいて、第３レンズ群の最も像側に配置されているレンズの少なくとも１面に非球面を形成すると、より好ましい。このようにすることで、光学系の広角端における可視光の像面湾曲を良好に補正することができる。
【００４３】
また、この発明にかかるズームレンズにおいて、第１レンズ群の最も像側に配置されているレンズの像側面に非球面を形成すると、光学系の望遠端におけるコマ収差をさらに良好に補正することができる。
【００４４】
以上説明したように、この発明にかかるズームレンズによれば、可視域から近赤外域までの広い波長域の光に対して良好な収差補正を実現し、明るい良質な画像が得られる。特に、上記各条件式を満足することにより、小型でありながら、広い波長域の光に対して結像性能を劣化させる原因となる諸収差を良好に補正することができる。加えて、高変倍も可能になる。
【００４５】
以下、この発明にかかるズームレンズの実施例を図面に基づき詳細に説明する。なお、以下の実施例によりこの発明が限定されるものではない。
【実施例１】
【００４６】
図１は、実施例１にかかるズームレンズの構成を示す光軸に沿う断面図である。このズームレンズは、図示しない物体側から順に、正の屈折力を有する第１レンズ群Ｇ11と、負の屈折力を有する第２レンズ群Ｇ12と、所定の口径を規定する開口絞りＳＴＯＰと、正の屈折力を有する第３レンズ群Ｇ13と、が配置されて構成される。第３レンズ群Ｇ13と像面ＩＭＧとの間には、カバーガラスＣＧが配置されている。カバーガラスＣＧは必要に応じて配置されるものであり、不要な場合は省略可能である。なお、像面ＩＭＧには、ＣＣＤやＣＭＯＳなどの固体撮像素子の受光面が配置される。
【００４７】
第１レンズ群Ｇ11は、物体側から順に、負レンズＬ111と、正レンズＬ112と、が配置されて構成される。負レンズＬ111と正レンズＬ112とは、接合されている。
【００４８】
第２レンズ群Ｇ12は、物体側から順に、負レンズＬ121と、負レンズＬ122と、正レンズＬ123と、が配置されて構成される。負レンズＬ122と正レンズＬ123とは、接合されている。
【００４９】
第３レンズ群Ｇ13は、物体側から順に、正の屈折力を有する前群Ｇ13Fと、負の屈折力を有する中群Ｇ13Mと、正の屈折力を有する後群Ｇ13Rと、が配置されて構成される。前群Ｇ13Fは、正レンズＬ131により構成される。正レンズＬ131の両面には、それぞれ非球面が形成されている。中群Ｇ13Mは、物体側から順に、正レンズＬ132と、負レンズＬ133と、が配置されて構成される。正レンズＬ132と負レンズＬ133とは、接合されている。後群Ｇ13Rは、正レンズＬ134により構成される。正レンズＬ134の両面には、それぞれ非球面が形成されている。
【００５０】
このズームレンズでは、第３レンズ群Ｇ13を光軸に沿って像面ＩＭＧ側から物体側へ移動させることにより広角端から望遠端への変倍を行う。また、第２レンズ群Ｇ12を光軸に沿って物体側から像面ＩＭＧ側へ移動させることにより変倍にともなう像面位置の変動を補正する。
【００５１】
以下、実施例１にかかるズームレンズに関する各種数値データを示す。
【００５２】
（レンズデータ）
ｒ1＝21.0455
ｄ1＝1.00    ｎｄ1＝1.84666    νｄ1＝23.78
ｒ2＝16.4474
ｄ2＝3.74    ｎｄ2＝1.49700    νｄ2＝81.61
ｒ3＝-92.1282
ｄ3＝D(3)（可変）
ｒ4＝106.9383
ｄ4＝0.70    ｎｄ3＝1.48749    νｄ3＝70.44
ｒ5＝16.8159
ｄ5＝1.81
ｒ6＝-14.2110
ｄ6＝0.70    ｎｄ4＝1.74330    νｄ4＝49.22
ｒ7＝16.5105
ｄ7＝1.71    ｎｄ5＝1.94595    νｄ5＝17.98
ｒ8＝51.4001
ｄ8＝D(8)（可変）
ｒ9＝∞（開口絞り）
ｄ9＝D(9)（可変）
ｒ10＝7.8560（非球面）
ｄ10＝4.85    ｎｄ6＝1.49710    νｄ6＝81.56
ｒ11＝-10.9863（非球面）
ｄ11＝0.10
ｒ12＝7.2168
ｄ12＝3.46    ｎｄ7＝1.49700    νｄ7＝81.61
ｒ13＝-27.4506
ｄ13＝0.60    ｎｄ8＝1.74077    νｄ8＝27.76
ｒ14＝4.2368
ｄ14＝2.11
ｒ15＝17.4705（非球面）
ｄ15＝2.43    ｎｄ9＝2.00178    νｄ9＝19.32
ｒ16＝175.6659（非球面）
ｄ16＝D(16)（可変）
ｒ17＝∞
ｄ17＝1.20    ｎｄ10＝1.51633    νｄ10＝64.14
ｒ18＝∞
ｄ18＝D（18）
ｒ19＝∞（像面）
【００５３】
円錐係数（Ｋ）および非球面係数（Ａ，Ｂ，Ｃ，Ｄ）
（第１０面）
Ｋ＝0.3108，
Ａ＝-8.53992×10-5，Ｂ＝1.75385×10-6，
Ｃ＝-5.35157×10-8，Ｄ＝2.95608×10-10
（第１１面）
Ｋ＝1.0000，
Ａ＝5.40631×10-4，Ｂ＝-4.79433×10-6，
Ｃ＝3.63934×10-8，Ｄ＝-4.02089×10-10
（第１５面）
Ｋ＝1.0000，
Ａ＝1.47616×10-3，Ｂ＝-3.88377×10-5，
Ｃ＝2.59543×10-6，Ｄ＝-1.23690×10-8
（第１６面）
Ｋ＝1.0000，
Ａ＝1.07552×10-3，Ｂ＝-4.09025×10-5，
Ｃ＝1.31670×10-6，Ｄ＝5.58828×10-8
【００５４】
（変倍データ）
広角端                  望遠端
ｆ（光学系全系の焦点距離）      8.97                    22.88
Ｆナンバー                      1.65                     2.08
２ω（画角）                   45.90                     17.10
D(3)                            0.7271                    9.6542
D(8)                           12.0675                    3.1404
D(9)                            4.6261                    2.1000
D(16)                           3.3218                    5.8478
D(18)                           1.6123                    1.5929
【００５５】
ｆｗ（光学系全系の広角端における焦点距離）＝8.97
ｆｔ（光学系全系の望遠端における焦点距離）＝21.88
Ｆｔ（光学系全系の望遠端におけるＦナンバー）＝2.08
ｆ１（第１レンズ群Ｇ11の焦点距離）＝40.90
ｆ２（第２レンズ群Ｇ12の焦点距離）＝-11.56
ｆ３（第３レンズ群Ｇ13の焦点距離）＝10.60
Ｄ（負レンズＬ111の物体側面頂から像面ＩＭＧまでの距離）＝46.40
ν１１（負レンズＬ111のｄ線に対するアッベ数）＝23.78
ν１２（正レンズＬ112のｄ線に対するアッベ数）＝81.61
ν３Ｆ（正レンズＬ131のｄ線に対するアッベ数）＝81.56
ν３Ｂ（正レンズＬ134のｄ線に対するアッベ数）＝19.32
Ｎｄ３Ｆ（正レンズＬ131のｄ線に対する屈折率）＝1.50
Ｎｄ３Ｂ（正レンズＬ134のｄ線に対する屈折率）＝2.00
【００５６】
（条件式（１）に関する数値）
ｆｗ／ｆ３＝0.85
【００５７】
（条件式（２）に関する数値）
ｆ３／ｆ２＝-0.92
【００５８】
（条件式（３）に関する数値）
ν３Ｆ−ν３Ｂ＝62.24
【００５９】
（条件式（４）に関する数値）
Ｎｄ３Ｂ−Ｎｄ３Ｆ＝0.50
【００６１】
（条件式（５）に関する数値）
ｆｔ／ｆ１＝0.53
【００６２】
（条件式（６）に関する数値）
｜ν１２−ν１１｜＝57.83
【００６３】
（条件式（７）に関する数値）
Ｄ／ｆｔ＝2.12
【００６４】
（条件式（８）に関する数値）
ｆ３／ｆｔ＝0.48
【００６５】
また、図２は、実施例１にかかるズームレンズの諸収差図である。図中、ｇはｇ線（λ＝４３５．８３ｎｍ）、ｄはｄ線（λ＝５８７．５６ｎｍ）、ＣはＣ線（λ＝６５６．２７ｎｍ）に相当する波長の収差を表す。そして、非点収差図におけるＳ，Ｍは、それぞれサジタル像面、メリディオナル像面に対する収差を表す。
【実施例２】
【００６６】
図３は、実施例２にかかるズームレンズの構成を示す光軸に沿う断面図である。このズームレンズは、図示しない物体側から順に、正の屈折力を有する第１レンズ群Ｇ21と、負の屈折力を有する第２レンズ群Ｇ22と、所定の口径を規定する開口絞りＳＴＯＰと、正の屈折力を有する第３レンズ群Ｇ23と、が配置されて構成される。第３レンズ群Ｇ23と像面ＩＭＧとの間には、カバーガラスＣＧが配置されている。カバーガラスＣＧは必要に応じて配置されるものであり、不要な場合は省略可能である。なお、像面ＩＭＧには、ＣＣＤやＣＭＯＳなどの固体撮像素子の受光面が配置される。
【００６７】
第１レンズ群Ｇ21は、物体側から順に、負レンズＬ211と、正レンズＬ212と、が配置されて構成される。負レンズＬ211と正レンズＬ212とは、接合されている。
【００６８】
第２レンズ群Ｇ22は、物体側から順に、負レンズＬ221と、負レンズＬ222と、正レンズＬ223と、が配置されて構成される。負レンズＬ222と正レンズＬ223とは、接合されている。
【００６９】
第３レンズ群Ｇ23は、物体側から順に、正の屈折力を有する前群Ｇ23Fと、負の屈折力を有する中群Ｇ23Mと、正の屈折力を有する後群Ｇ23Rと、が配置されて構成される。前群Ｇ23Fは、正レンズＬ231により構成される。正レンズＬ231の両面には、それぞれ非球面が形成されている。中群Ｇ23Mは、物体側から順に、負レンズＬ232と、正レンズＬ233と、負レンズＬ234と、が配置されて構成される。負レンズＬ232と正レンズＬ233と負レンズＬ234とは、接合されている。後群Ｇ23Rは、正レンズＬ235により構成される。正レンズＬ235の両面には、それぞれ非球面が形成されている。
【００７０】
このズームレンズでは、第３レンズ群Ｇ23を光軸に沿って像面ＩＭＧ側から物体側へ移動させることにより広角端から望遠端への変倍を行う。また、第２レンズ群Ｇ22を光軸に沿って物体側から像面ＩＭＧ側へ移動させることにより変倍にともなう像面位置の変動を補正する。
【００７１】
以下、実施例２にかかるズームレンズに関する各種数値データを示す。
【００７２】
（レンズデータ）
ｒ1＝23.7766
ｄ1＝1.00    ｎｄ1＝1.84666    νｄ1＝23.78
ｒ2＝18.1792
ｄ2＝3.29    ｎｄ2＝1.49700    νｄ2＝81.61
ｒ3＝-61.9181
ｄ3＝D(3)（可変）
ｒ4＝-106.9398
ｄ4＝0.70    ｎｄ3＝1.48749    νｄ3＝70.44
ｒ5＝20.5274
ｄ5＝1.59
ｒ6＝-13.8966
ｄ6＝0.70    ｎｄ4＝1.74330    νｄ4＝49.22
ｒ7＝19.3235
ｄ7＝1.67    ｎｄ5＝1.94595    νｄ5＝17.98
ｒ8＝85.5777
ｄ8＝D(8)（可変）
ｒ9＝∞（開口絞り）
ｄ9＝D(9)（可変）
ｒ10＝7.7614（非球面）
ｄ10＝5.21    ｎｄ6＝1.49710    νｄ6＝81.56
ｒ11＝-16.4757（非球面）
ｄ11＝0.10
ｒ12＝9.9292
ｄ12＝0.70    ｎｄ7＝1.92286    νｄ7＝20.88
ｒ13＝6.5000
ｄ13＝5.37    ｎｄ8＝1.49700    νｄ8＝81.61
ｒ14＝-6.4562
ｄ14＝0.60    ｎｄ9＝1.51680    νｄ9＝64.20
ｒ15＝5.8297
ｄ15＝0.91
ｒ16＝12.9478（非球面）
ｄ16＝2.00    ｎｄ10＝2.00178    νｄ10＝19.32
ｒ17＝19.0187（非球面）
ｄ17＝D(17)（可変）
ｒ18＝∞
ｄ18＝1.20    ｎｄ11＝1.51633    νｄ11＝64.14
ｒ19＝∞
ｄ19＝D（19）
ｒ20＝∞（像面）
【００７３】
円錐係数（Ｋ）および非球面係数（Ａ，Ｂ，Ｃ，Ｄ）
（第１０面）
Ｋ＝0.3618，
Ａ＝-5.94338×10-5，Ｂ＝1.24856×10-6，
Ｃ＝-3.22426×10-8，Ｄ＝4.93011×10-10
（第１１面）
Ｋ＝1.0000，
Ａ＝3.17878×10-4，Ｂ＝-2.60377×10-6，
Ｃ＝2.22080×10-8，Ｄ＝-1.23913×10-11
（第１６面）
Ｋ＝1.0000，
Ａ＝1.93727×10-4，Ｂ＝-4.55959×10-5，
Ｃ＝-2.33607×10-6，Ｄ＝1.90081×10-8
（第１７面）
Ｋ＝1.0000，
Ａ＝2.84278×10-4，Ｂ＝-5.45387×10-5，
Ｃ＝-4.14270×10-6，Ｄ＝2.40182×10-7
【００７４】
（変倍データ）
広角端                  望遠端
ｆ（光学系全系の焦点距離）      8.97                    21.86
Ｆナンバー                      1.57                     2.10
２ω（画角）                   45.70                     17.00
D(3)                            0.6504                    8.8005
D(8)                           11.0012                    2.8510
D(9)                            5.2715                    2.2000
D(17)                           3.3371                    6.4086
D(19)                           1.4525                    1.4275
【００７５】
ｆｗ（光学系全系の広角端における焦点距離）＝8.97
ｆｔ（光学系全系の望遠端における焦点距離）＝21.86
Ｆｔ（光学系全系の望遠端におけるＦナンバー）＝2.10
ｆ１（第１レンズ群Ｇ21の焦点距離）＝41.11
ｆ２（第２レンズ群Ｇ22の焦点距離）＝-11.67
ｆ３（第３レンズ群Ｇ23の焦点距離）＝10.21
Ｄ（負レンズＬ211の物体側面頂から像面ＩＭＧまでの距離）＝46.40
ν１１（負レンズＬ211のｄ線に対するアッベ数）＝23.78
ν１２（正レンズＬ212のｄ線に対するアッベ数）＝81.61
ν３Ｆ（正レンズＬ231のｄ線に対するアッベ数）＝81.56
ν３Ｂ（正レンズＬ235のｄ線に対するアッベ数）＝19.32
Ｎｄ３Ｆ（正レンズＬ231のｄ線に対する屈折率）＝1.50
Ｎｄ３Ｂ（正レンズＬ235のｄ線に対する屈折率）＝2.00
【００７６】
（条件式（１）に関する数値）
ｆｗ／ｆ３＝0.88
【００７７】
（条件式（２）に関する数値）
ｆ３／ｆ２＝-0.87
【００７８】
（条件式（３）に関する数値）
ν３Ｆ−ν３Ｂ＝62.24
【００７９】
（条件式（４）に関する数値）
Ｎｄ３Ｂ−Ｎｄ３Ｆ＝0.50
【００８１】
（条件式（５）に関する数値）
ｆｔ／ｆ１＝0.53
【００８２】
（条件式（６）に関する数値）
｜ν１２−ν１１｜＝57.83
【００８３】
（条件式（７）に関する数値）
Ｄ／ｆｔ＝2.12
【００８４】
（条件式（８）に関する数値）
ｆ３／ｆｔ＝0.47
【００８５】
また、図４は、実施例２にかかるズームレンズの諸収差図である。図中、ｇはｇ線（λ＝４３５．８３ｎｍ）、ｄはｄ線（λ＝５８７．５６ｎｍ）、ＣはＣ線（λ＝６５６．２７ｎｍ）に相当する波長の収差を表す。そして、非点収差図におけるＳ，Ｍは、それぞれサジタル像面、メリディオナル像面に対する収差を表す。
【実施例３】
【００８６】
図５は、実施例３にかかるズームレンズの構成を示す光軸に沿う断面図である。このズームレンズは、図示しない物体側から順に、正の屈折力を有する第１レンズ群Ｇ31と、負の屈折力を有する第２レンズ群Ｇ32と、所定の口径を規定する開口絞りＳＴＯＰと、正の屈折力を有する第３レンズ群Ｇ33と、が配置されて構成される。第３レンズ群Ｇ33と像面ＩＭＧとの間には、カバーガラスＣＧが配置されている。カバーガラスＣＧは必要に応じて配置されるものであり、不要な場合は省略可能である。なお、像面ＩＭＧには、ＣＣＤやＣＭＯＳなどの固体撮像素子の受光面が配置される。
【００８７】
第１レンズ群Ｇ31は、物体側から順に、負レンズＬ311と、正レンズＬ312と、が配置されて構成される。負レンズＬ311と正レンズＬ312とは、接合されている。
【００８８】
第２レンズ群Ｇ32は、物体側から順に、負レンズＬ321と、負レンズＬ322と、正レンズＬ323と、が配置されて構成される。負レンズＬ322と正レンズＬ323とは、接合されている。
【００８９】
第３レンズ群Ｇ33は、物体側から順に、正の屈折力を有する前群Ｇ33Fと、負の屈折力を有する中群Ｇ33Mと、正の屈折力を有する後群Ｇ33Rと、が配置されて構成される。前群Ｇ33Fは、物体側から順に、正レンズＬ331と、正レンズＬ332と、が配置されて構成される。正レンズＬ331の両面には、それぞれ非球面が形成されている。中群Ｇ33Mは、物体側から順に、正レンズＬ333と、負レンズＬ334と、が配置されて構成される。正レンズＬ333と負レンズＬ334とは、接合されている。後群Ｇ33Rは、正レンズＬ335により構成される。正レンズＬ335の両面には、それぞれ非球面が形成されている。
【００９０】
このズームレンズでは、第３レンズ群Ｇ33を光軸に沿って像面ＩＭＧ側から物体側へ移動させることにより広角端から望遠端への変倍を行う。また、第２レンズ群Ｇ32を光軸に沿って物体側から像面ＩＭＧ側へ移動させることにより変倍にともなう像面位置の変動を補正する。
【００９１】
以下、実施例３にかかるズームレンズに関する各種数値データを示す。
【００９２】
（レンズデータ）
ｒ1＝20.7861
ｄ1＝1.00    ｎｄ1＝1.84666    νｄ1＝23.78
ｒ2＝16.1420
ｄ2＝3.93    ｎｄ2＝1.49700    νｄ2＝81.61
ｒ3＝-100.0738
ｄ3＝D(3)（可変）
ｒ4＝-69.0629
ｄ4＝0.70    ｎｄ3＝1.48749    νｄ3＝70.44
ｒ5＝21.6360
ｄ5＝1.62
ｒ6＝-15.6234
ｄ6＝0.70    ｎｄ4＝1.69680    νｄ4＝55.46
ｒ7＝17.7459
ｄ7＝1.65    ｎｄ5＝1.94595    νｄ5＝17.98
ｒ8＝44.1106
ｄ8＝D(8)（可変）
ｒ9＝∞（開口絞り）
ｄ9＝D(9)（可変）
ｒ10＝16.8213（非球面）
ｄ10＝2.07    ｎｄ6＝1.59201    νｄ6＝67.02
ｒ11＝-55.3555（非球面）
ｄ11＝0.10
ｒ12＝14.3575
ｄ12＝3.83    ｎｄ7＝1.49700    νｄ7＝81.61
ｒ13＝-12.4482
ｄ13＝0.10
ｒ14＝8.0118
ｄ14＝2.99    ｎｄ8＝1.49700    νｄ8＝81.61
ｒ15＝-30.382
ｄ15＝0.70    ｎｄ9＝1.76182    νｄ9＝26.61
ｒ16＝4.3343
ｄ16＝1.86
ｒ17＝21.8114（非球面）
ｄ17＝3.06    ｎｄ10＝2.00178    νｄ10＝19.32
ｒ18＝-100.0000（非球面）
ｄ18＝D(18)（可変）
ｒ19＝∞
ｄ19＝1.20    ｎｄ11＝1.51633    νｄ11＝64.14
ｒ20＝∞
ｄ20＝D（20）
ｒ21＝∞（像面）
【００９３】
円錐係数（Ｋ）および非球面係数（Ａ，Ｂ，Ｃ，Ｄ）
（第１０面）
Ｋ＝-14.1796，
Ａ＝1.84965×10-4，Ｂ＝-9.77461×10-6，
Ｃ＝-7.48158×10-8，Ｄ＝-1.75002×10-10
（第１１面）
Ｋ＝1.0000，
Ａ＝1.07518×10-4，Ｂ＝-8.50720×10-7，
Ｃ＝-1.97917×10-7，Ｄ＝2.17517×10-9
（第１７面）
Ｋ＝1.0000，
Ａ＝5.88022×10-4，Ｂ＝1.04789×10-5，
Ｃ＝-8.27725×10-7，Ｄ＝1.26147×10-7
（第１８面）
Ｋ＝1.0000，
Ａ＝1.45999×10-4，Ｂ＝-3.01105×10-6，
Ｃ＝-1.27293×10-6，Ｄ＝8.14173×10-8
【００９４】
（変倍データ）
広角端                  望遠端
ｆ（光学系全系の焦点距離）      8.97                    21.88
Ｆナンバー                      1.62                     2.01
２ω（画角）                   44.09                     16.50
D(3)                            1.1293                   10.2355
D(8)                           12.2725                    3.1663
D(9)                            3.2824                    0.9000
D(18)                           3.1000                    5.4824
D(20)                           1.4720                    1.4621
【００９５】
ｆｗ（光学系全系の広角端における焦点距離）＝8.97
ｆｔ（光学系全系の望遠端における焦点距離）＝21.88
Ｆｔ（光学系全系の望遠端におけるＦナンバー）＝2.01
ｆ１（第１レンズ群Ｇ31の焦点距離）＝41.41
ｆ２（第２レンズ群Ｇ32の焦点距離）＝-11.67
ｆ３（第３レンズ群Ｇ33の焦点距離）＝10.48
Ｄ（負レンズＬ311の物体側面頂から像面ＩＭＧまでの距離）＝46.40
ν１１（負レンズＬ311のｄ線に対するアッベ数）＝23.78
ν１２（正レンズＬ312のｄ線に対するアッベ数）＝81.61
ν３Ｆ（正レンズＬ331のｄ線に対するアッベ数）＝67.02
ν３Ｂ（正レンズＬ335のｄ線に対するアッベ数）＝19.32
Ｎｄ３Ｆ（正レンズＬ331のｄ線に対する屈折率）＝1.59
Ｎｄ３Ｂ（正レンズＬ355のｄ線に対する屈折率）＝2.00
【００９６】
（条件式（１）に関する数値）
ｆｗ／ｆ３＝0.86
【００９７】
（条件式（２）に関する数値）
ｆ３／ｆ２＝-0.90
【００９８】
（条件式（３）に関する数値）
ν３Ｆ−ν３Ｂ＝47.70
【００９９】
（条件式（４）に関する数値）
Ｎｄ３Ｂ−Ｎｄ３Ｆ＝0.41
【０１０１】
（条件式（５）に関する数値）
ｆｔ／ｆ１＝0.53
【０１０２】
（条件式（６）に関する数値）
｜ν１２−ν１１｜＝57.83
【０１０３】
（条件式（７）に関する数値）
Ｄ／ｆｔ＝2.12
【０１０４】
（条件式（８）に関する数値）
ｆ３／ｆｔ＝0.48
【０１０５】
また、図６は、実施例３にかかるズームレンズの諸収差図である。図中、ｇはｇ線（λ＝４３５．８３ｎｍ）、ｄはｄ線（λ＝５８７．５６ｎｍ）、ＣはＣ線（λ＝６５６．２７ｎｍ）に相当する波長の収差を表す。そして、非点収差図におけるＳ，Ｍは、それぞれサジタル像面、メリディオナル像面に対する収差を表す。
【実施例４】
【０１０６】
図７は、実施例４にかかるズームレンズの構成を示す光軸に沿う断面図である。このズームレンズは、図示しない物体側から順に、正の屈折力を有する第１レンズ群Ｇ41と、負の屈折力を有する第２レンズ群Ｇ42と、所定の口径を規定する開口絞りＳＴＯＰと、正の屈折力を有する第３レンズ群Ｇ43と、が配置されて構成される。第３レンズ群Ｇ43と像面ＩＭＧとの間には、カバーガラスＣＧが配置されている。カバーガラスＣＧは必要に応じて配置されるものであり、不要な場合は省略可能である。なお、像面ＩＭＧには、ＣＣＤやＣＭＯＳなどの固体撮像素子の受光面が配置される。
【０１０７】
第１レンズ群Ｇ41は、物体側から順に、負レンズＬ411と、正レンズＬ412と、が配置されて構成される。負レンズＬ411と正レンズＬ412とは、接合されている。正レンズＬ412の像面ＩＭＧ側の面には、非球面が接合・モールド成形されている。
【０１０８】
第２レンズ群Ｇ42は、物体側から順に、負レンズＬ421と、負レンズＬ422と、正レンズＬ423と、が配置されて構成される。負レンズＬ422と正レンズＬ423とは、接合されている。
【０１０９】
第３レンズ群Ｇ43は、物体側から順に、正の屈折力を有する前群Ｇ43Fと、負の屈折力を有する中群Ｇ43Mと、正の屈折力を有する後群Ｇ43Rと、が配置されて構成される。前群Ｇ43Fは、正レンズＬ431により構成される。正レンズＬ431の両面には、それぞれ非球面が形成されている。中群Ｇ43Mは、物体側から順に、正レンズＬ434と、負レンズＬ433と、が配置されて構成される。正レンズＬ432と負レンズＬ433とは、接合されている。後群Ｇ43Rは、正レンズＬ434により構成される。正レンズＬ434の両面には、それぞれ非球面が形成されている。
【０１１０】
このズームレンズでは、第３レンズ群Ｇ43を光軸に沿って像面ＩＭＧ側から物体側へ移動させることにより広角端から望遠端への変倍を行う。また、第２レンズ群Ｇ42を光軸に沿って物体側から像面ＩＭＧ側へ移動させることにより変倍にともなう像面位置の変動を補正する。
【０１１１】
以下、実施例４にかかるズームレンズに関する各種数値データを示す。
【０１１２】
（レンズデータ）
ｒ1＝34.0074
ｄ1＝1.00    ｎｄ1＝1.84666    νｄ1＝23.78
ｒ2＝23.8609
ｄ2＝3.52    ｎｄ2＝1.49700    νｄ2＝81.61
ｒ3＝-32.6063（非球面）
ｄ3＝0.20    ｎｄ3＝1.53610    νｄ3＝41.21
ｒ4＝-28.9034
ｄ4＝D(4)（可変）
ｒ5＝-54.1596
ｄ5＝0.70    ｎｄ4＝1.83400    νｄ4＝37.34
ｒ6＝24.6537
ｄ6＝1.38
ｒ7＝-12.8079
ｄ7＝0.70    ｎｄ5＝1.74330    νｄ5＝49.22
ｒ8＝26.6595
ｄ8＝1.75    ｎｄ6＝1.94595    νｄ6＝17.98
ｒ9＝-70.2507
ｄ9＝D(9)（可変）
ｒ10＝∞（開口絞り）
ｄ10＝D(10)（可変）
ｒ11＝7.9764（非球面）
ｄ11＝4.50    ｎｄ7＝1.49710    νｄ7＝81.56
ｒ12＝-12.3964（非球面）
ｄ12＝0.10
ｒ13＝7.6077
ｄ13＝3.26    ｎｄ8＝1.49700    νｄ8＝81.61
ｒ14＝-32.7450
ｄ14＝0.60    ｎｄ9＝1.74077    νｄ9＝27.76
ｒ15＝4.7058
ｄ15＝2.02
ｒ16＝21.3602（非球面）
ｄ16＝1.72    ｎｄ10＝2.00178    νｄ10＝19.32
ｒ17＝1000.0000（非球面）
ｄ17＝D(17)（可変）
ｒ18＝∞
ｄ18＝1.20    ｎｄ11＝1.51633    νｄ11＝64.14
ｒ19＝∞
ｄ19＝D（19）
ｒ20＝∞（像面）
【０１１３】
円錐係数（Ｋ）および非球面係数（Ａ，Ｂ，Ｃ，Ｄ）
（第３面）
Ｋ＝1.0000，
Ａ＝2.13750×10-5，Ｂ＝-1.72668×10-7，
Ｃ＝4.91295×10-9，Ｄ＝-4.59346×10-11
（第１１面）
Ｋ＝0.3735，
Ａ＝-6.47603×10-5，Ｂ＝1.98553×10-6，
Ｃ＝-5.98743×10-8，Ｄ＝8.86363×10-10
（第１２面）
Ｋ＝1.0000，
Ａ＝5.27835×10-4，Ｂ＝-4.94554×10-6，
Ｃ＝3.13111×10-8，Ｄ＝2.35475×10-10
（第１６面）
Ｋ＝1.0000，
Ａ＝2.03445×10-3，Ｂ＝-9.76586×10-6，
Ｃ＝1.01726×10-8，Ｄ＝1.04485×10-7
（第１７面）
Ｋ＝1.0000，
Ａ＝1.73971×10-3，Ｂ＝2.62756×10-5，
Ｃ＝-3.70304×10-6，Ｄ＝3.55335×10-7
【０１１４】
（変倍データ）
広角端                  望遠端
ｆ（光学系全系の焦点距離）      8.97                    21.88
Ｆナンバー                      1.64                     2.05
２ω（画角）                   44.09                     16.50
D(4)                            0.7882                    9.7003
D(9)                           11.7917                    2.8795
D(10)                           4.6670                    2.1000
D(17)                           3.4607                    6.0277
D(19)                           3.4061                    3.3836
【０１１５】
ｆｗ（光学系全系の広角端における焦点距離）＝8.97
ｆｔ（光学系全系の望遠端における焦点距離）＝21.88
Ｆｔ（光学系全系の望遠端におけるＦナンバー）＝2.05
ｆ１（第１レンズ群Ｇ41の焦点距離）＝36.89
ｆ２（第２レンズ群Ｇ42の焦点距離）＝-11.50
ｆ３（第３レンズ群Ｇ43の焦点距離）＝11.28
Ｄ（負レンズＬ411の物体側面頂から像面ＩＭＧまでの距離）＝46.40
ν１１（負レンズＬ411のｄ線に対するアッベ数）＝23.78
ν１２（正レンズＬ412のｄ線に対するアッベ数）＝81.61
ν３Ｆ（正レンズＬ431のｄ線に対するアッベ数）＝81.56
ν３Ｂ（正レンズＬ434のｄ線に対するアッベ数）＝19.32
Ｎｄ３Ｆ（正レンズＬ431のｄ線に対する屈折率）＝1.50
Ｎｄ３Ｂ（正レンズＬ434のｄ線に対する屈折率）＝2.00
【０１１６】
（条件式（１）に関する数値）
ｆｗ／ｆ３＝0.79
【０１１７】
（条件式（２）に関する数値）
ｆ３／ｆ２＝-0.98
【０１１８】
（条件式（３）に関する数値）
ν３Ｆ−ν３Ｂ＝62.24
【０１１９】
（条件式（４）に関する数値）
Ｎｄ３Ｂ−Ｎｄ３Ｆ＝0.50
【０１２１】
（条件式（５）に関する数値）
ｆｔ／ｆ１＝0.59
【０１２２】
（条件式（６）に関する数値）
｜ν１２−ν１１｜＝57.83
【０１２３】
（条件式（７）に関する数値）
Ｄ／ｆｔ＝2.12
【０１２４】
（条件式（８）に関する数値）
ｆ３／ｆｔ＝0.52
【０１２５】
また、図８は、実施例４にかかるズームレンズの諸収差図である。図中、ｇはｇ線（λ＝４３５．８３ｎｍ）、ｄはｄ線（λ＝５８７．５６ｎｍ）、ＣはＣ線（λ＝６５６．２７ｎｍ）に相当する波長の収差を表す。そして、非点収差図におけるＳ，Ｍは、それぞれサジタル像面、メリディオナル像面に対する収差を表す。
【実施例５】
【０１２６】
図９は、実施例５にかかるズームレンズの構成を示す光軸に沿う断面図である。このズームレンズは、図示しない物体側から順に、正の屈折力を有する第１レンズ群Ｇ51と、負の屈折力を有する第２レンズ群Ｇ52と、所定の口径を規定する開口絞りＳＴＯＰと、正の屈折力を有する第３レンズ群Ｇ53と、が配置されて構成される。第３レンズ群Ｇ53と像面ＩＭＧとの間には、カバーガラスＣＧが配置されている。カバーガラスＣＧは必要に応じて配置されるものであり、不要な場合は省略可能である。なお、像面ＩＭＧには、ＣＣＤやＣＭＯＳなどの固体撮像素子の受光面が配置される。
【０１２７】
第１レンズ群Ｇ51は、物体側から順に、負レンズＬ511と、正レンズＬ512と、が配置されて構成される。負レンズＬ511と正レンズＬ512とは、接合されている。
【０１２８】
第２レンズ群Ｇ52は、物体側から順に、負レンズＬ521と、負レンズＬ522と、正レンズＬ523と、が配置されて構成される。
【０１２９】
第３レンズ群Ｇ53は、物体側から順に、正の屈折力を有する前群Ｇ53Fと、負の屈折力を有する中群Ｇ53Mと、正の屈折力を有する後群Ｇ53Rと、が配置されて構成される。前群Ｇ53Fは、正レンズＬ531により構成される。正レンズＬ531の両面には、それぞれ非球面が形成されている。中群Ｇ53Mは、物体側から順に、正レンズＬ532と、負レンズＬ533と、が配置されて構成される。正レンズＬ532と負レンズＬ533とは、接合されている。後群Ｇ53Rは、正レンズＬ534により構成される。正レンズＬ534の両面には、それぞれ非球面が形成されている。
【０１３０】
このズームレンズでは、第３レンズ群Ｇ53を光軸に沿って像面ＩＭＧ側から物体側へ移動させることにより広角端から望遠端への変倍を行う。また、第２レンズ群Ｇ52を光軸に沿って物体側から像面ＩＭＧ側へ移動させることにより変倍にともなう像面位置の変動を補正する。
【０１３１】
以下、実施例５にかかるズームレンズに関する各種数値データを示す。
【０１３２】
（レンズデータ）
ｒ1＝43.9283
ｄ1＝1.00    ｎｄ1＝1.80518    νｄ1＝25.46
ｒ2＝33.5341
ｄ2＝2.40    ｎｄ2＝1.49700    νｄ2＝81.61
ｒ3＝-46.8008
ｄ3＝D(3)（可変）
ｒ4＝-30.1242
ｄ4＝0.60    ｎｄ3＝1.48749    νｄ3＝70.44
ｒ5＝31.2211
ｄ5＝1.26
ｒ6＝-17.1954
ｄ6＝0.60    ｎｄ4＝1.90366    νｄ4＝31.31
ｒ7＝22.5590
ｄ7＝0.31
ｒ8＝24.2649
ｄ8＝1.90    ｎｄ5＝1.94595    νｄ5＝17.98
ｒ9＝-69.3273
ｄ9＝D(9)（可変）
ｒ10＝∞（開口絞り）
ｄ10＝D(10)（可変）
ｒ11＝10.0000（非球面）
ｄ11＝3.75    ｎｄ6＝1.49710    νｄ6＝81.56
ｒ12＝-14.5049（非球面）
ｄ12＝0.10
ｒ13＝6.7400
ｄ13＝4.50    ｎｄ7＝1.49700    νｄ7＝81.61
ｒ14＝-37.8814
ｄ14＝0.60    ｎｄ8＝1.74077    νｄ8＝27.76
ｒ15＝4.8911
ｄ15＝2.90
ｒ16＝33.1791（非球面）
ｄ16＝3.00    ｎｄ9＝2.10205    νｄ9＝16.77
ｒ17＝-331.8398（非球面）
ｄ17＝D(17)（可変）
ｒ18＝∞
ｄ18＝1.20    ｎｄ10＝1.51633    νｄ10＝64.14
ｒ19＝∞
ｄ19＝D（19）
ｒ20＝∞（像面）
【０１３３】
円錐係数（Ｋ）および非球面係数（Ａ，Ｂ，Ｃ，Ｄ）
（第１１面）
Ｋ＝1.0000，
Ａ＝-1.13621×10-4，Ｂ＝-2.59853×10-6，
Ｃ＝1.04911×10-7，Ｄ＝-4.09440×10-9
（第１２面）
Ｋ＝1.0000，
Ａ＝1.69424×10-4，Ｂ＝-3.06114×10-7，
Ｃ＝-4.22065×10-8，Ｄ＝-1.36612×10-9
（第１６面）
Ｋ＝1.0000，
Ａ＝1.94490×10-4，Ｂ＝-4.13622×10-5，
Ｃ＝3.13620×10-6，Ｄ＝-1.57243×10-7
（第１７面）
Ｋ＝1.0000，
Ａ＝1.95439×10-4，Ｂ＝-1.93329×10-5，
Ｃ＝1.45224×10-7，Ｄ＝-5.54131×10-9
【０１３４】
（変倍データ）
広角端                  望遠端
ｆ（光学系全系の焦点距離）      9.22                    21.24
Ｆナンバー                      1.64                     2.36
２ω（画角）                   38.18                     15.72
D(3)                            1.2517                  11.0578
D(9)                           12.6519                    2.8459
D(10)                           4.3657                    1.3000
D(17)                           3.1000                    6.1657
D(19)                           1.2806                    1.3230
【０１３５】
ｆｗ（光学系全系の広角端における焦点距離）＝9.22
ｆｔ（光学系全系の望遠端における焦点距離）＝21.24
Ｆｔ（光学系全系の望遠端におけるＦナンバー）＝2.36
ｆ１（第１レンズ群Ｇ51の焦点距離）＝51.05
ｆ２（第２レンズ群Ｇ52の焦点距離）＝-14.26
ｆ３（第３レンズ群Ｇ53の焦点距離）＝11.46
Ｄ（負レンズＬ511の物体側面頂から像面ＩＭＧまでの距離）＝46.40
ν１１（負レンズＬ511のｄ線に対するアッベ数）＝25.46
ν１２（正レンズＬ512のｄ線に対するアッベ数）＝81.61
ν３Ｆ（正レンズＬ531のｄ線に対するアッベ数）＝81.56
ν３Ｂ（正レンズＬ534のｄ線に対するアッベ数）＝16.77
Ｎｄ３Ｆ（正レンズＬ531のｄ線に対する屈折率）＝1.50
Ｎｄ３Ｂ（正レンズＬ534のｄ線に対する屈折率）＝2.10
【０１３６】
（条件式（１）に関する数値）
ｆｗ／ｆ３＝0.80
【０１３７】
（条件式（２）に関する数値）
ｆ３／ｆ２＝-0.80
【０１３８】
（条件式（３）に関する数値）
ν３Ｆ−ν３Ｂ＝64.79
【０１３９】
（条件式（４）に関する数値）
Ｎｄ３Ｂ−Ｎｄ３Ｆ＝0.60
【０１４１】
（条件式（５）に関する数値）
ｆｔ／ｆ１＝0.42
【０１４２】
（条件式（６）に関する数値）
｜ν１２−ν１１｜＝56.15
【０１４３】
（条件式（７）に関する数値）
Ｄ／ｆｔ＝2.18
【０１４４】
（条件式（８）に関する数値）
ｆ３／ｆｔ＝0.54
【０１４５】
また、図１０は、実施例５にかかるズームレンズの諸収差図である。図中、ｇはｇ線（λ＝４３５．８３ｎｍ）、ｄはｄ線（λ＝５８７．５６ｎｍ）、ＣはＣ線（λ＝６５６．２７ｎｍ）に相当する波長の収差を表す。そして、非点収差図におけるＳ，Ｍは、それぞれサジタル像面、メリディオナル像面に対する収差を表す。
【実施例６】
【０１４６】
図１１は、実施例６にかかるズームレンズの構成を示す光軸に沿う断面図である。このズームレンズは、図示しない物体側から順に、正の屈折力を有する第１レンズ群Ｇ61と、負の屈折力を有する第２レンズ群Ｇ62と、所定の口径を規定する開口絞りＳＴＯＰと、正の屈折力を有する第３レンズ群Ｇ63と、が配置されて構成される。第３レンズ群Ｇ63と像面ＩＭＧとの間には、カバーガラスＣＧが配置されている。カバーガラスＣＧは必要に応じて配置されるものであり、不要な場合は省略可能である。なお、像面ＩＭＧには、ＣＣＤやＣＭＯＳなどの固体撮像素子の受光面が配置される。
【０１４７】
第１レンズ群Ｇ61は、物体側から順に、負レンズＬ611と、正レンズＬ612と、が配置されて構成される。負レンズＬ611と正レンズＬ612とは、接合されている。
【０１４８】
第２レンズ群Ｇ62は、物体側から順に、負レンズＬ621と、負レンズＬ622と、正レンズＬ623と、が配置されて構成される。
【０１４９】
第３レンズ群Ｇ63は、物体側から順に、正の屈折力を有する前群Ｇ63Fと、負の屈折力を有する中群Ｇ63Mと、正の屈折力を有する後群Ｇ63Rと、が配置されて構成される。前群Ｇ63Fは、正レンズＬ631により構成される。正レンズＬ631の両面には、それぞれ非球面が形成されている。中群Ｇ63Mは、物体側から順に、正レンズＬ632と、負レンズＬ633と、が配置されて構成される。正レンズＬ632と負レンズＬ633とは、接合されている。後群Ｇ63Rは、正レンズＬ634により構成される。
【０１５０】
このズームレンズでは、第３レンズ群Ｇ63を光軸に沿って像面ＩＭＧ側から物体側へ移動させることにより広角端から望遠端への変倍を行う。また、第２レンズ群Ｇ62を光軸に沿って物体側から像面ＩＭＧ側へ移動させることにより変倍にともなう像面位置の変動を補正する。
【０１５１】
以下、実施例６にかかるズームレンズに関する各種数値データを示す。
【０１５２】
（レンズデータ）
ｒ1＝41.6852
ｄ1＝1.00    ｎｄ1＝1.92286    νｄ1＝18.90
ｒ2＝34.9384
ｄ2＝2.40    ｎｄ2＝1.49700    νｄ2＝81.61
ｒ3＝-48.9544
ｄ3＝D(3)（可変）
ｒ4＝-31.3760
ｄ4＝0.60    ｎｄ3＝1.48749    νｄ3＝70.44
ｒ5＝25.8081
ｄ5＝1.45
ｒ6＝-15.6338
ｄ6＝0.60    ｎｄ4＝1.80440    νｄ4＝39.59
ｒ7＝36.8536
ｄ7＝0.15
ｒ8＝43.1433
ｄ8＝1.70    ｎｄ5＝1.95906    νｄ5＝17.47
ｒ9＝-69.3806
ｄ9＝D(9)（可変）
ｒ10＝∞（開口絞り）
ｄ10＝D(10)（可変）
ｒ11＝10.0000（非球面）
ｄ11＝4.05    ｎｄ6＝1.49710    νｄ6＝81.56
ｒ12＝-13.8828（非球面）
ｄ12＝0.10
ｒ13＝6.7671
ｄ13＝4.05    ｎｄ7＝1.49700    νｄ7＝81.61
ｒ14＝-35.9056
ｄ14＝0.60    ｎｄ8＝1.74077    νｄ8＝27.76
ｒ15＝5.1415
ｄ15＝2.65
ｒ16＝-47.3333
ｄ16＝1.80    ｎｄ9＝1.95906    νｄ9＝17.47
ｒ17＝-16.0963
ｄ17＝D(17)（可変）
ｒ18＝∞
ｄ18＝1.20    ｎｄ10＝1.51633    νｄ10＝64.14
ｒ19＝∞
ｄ19＝D（19）
ｒ20＝∞（像面）
【０１５３】
円錐係数（Ｋ）および非球面係数（Ａ，Ｂ，Ｃ，Ｄ）
（第１１面）
Ｋ＝1.0000，
Ａ＝-1.76863×10-4，Ｂ＝2.16656×10-6，
Ｃ＝-4.07744×10-8，Ｄ＝-9.05479×10-11
（第１２面）
Ｋ＝1.0000，
Ａ＝1.61249×10-4，Ｂ＝1.33028×10-6，
Ｃ＝-1.17838×10-8，Ｄ＝-4.06142×10-10
【０１５４】
（変倍データ）
広角端                  望遠端
ｆ（光学系全系の焦点距離）      9.22                    21.24
Ｆナンバー                      1.64                     2.29
２ω（画角）                   38.19                     15.61
D(3)                            1.2517                  11.0578
D(9)                           12.6519                    2.8459
D(10)                           4.4800                    1.3000
D(17)                           4.6513                    7.8312
D(19)                           1.3706                    1.3635
【０１５５】
ｆｗ（光学系全系の広角端における焦点距離）＝9.22
ｆｔ（光学系全系の望遠端における焦点距離）＝21.24
Ｆｔ（光学系全系の望遠端におけるＦナンバー）＝2.29
ｆ１（第１レンズ群Ｇ61の焦点距離）＝50.10
ｆ２（第２レンズ群Ｇ62の焦点距離）＝-13.93
ｆ３（第３レンズ群Ｇ63の焦点距離）＝11.91
Ｄ（負レンズＬ611の物体側面頂から像面ＩＭＧまでの距離）＝46.40
ν１１（負レンズＬ611のｄ線に対するアッベ数）＝18.90
ν１２（正レンズＬ612のｄ線に対するアッベ数）＝81.61
ν３Ｆ（正レンズＬ631のｄ線に対するアッベ数）＝81.56
ν３Ｂ（正レンズＬ634のｄ線に対するアッベ数）＝17.47
Ｎｄ３Ｆ（正レンズＬ631のｄ線に対する屈折率）＝1.50
Ｎｄ３Ｂ（正レンズＬ634のｄ線に対する屈折率）＝1.96
【０１５６】
（条件式（１）に関する数値）
ｆｗ／ｆ３＝0.77
【０１５７】
（条件式（２）に関する数値）
ｆ３／ｆ２＝-0.85
【０１５８】
（条件式（３）に関する数値）
ν３Ｆ−ν３Ｂ＝64.09
【０１５９】
（条件式（４）に関する数値）
Ｎｄ３Ｂ−Ｎｄ３Ｆ＝0.46
【０１６１】
（条件式（５）に関する数値）
ｆｔ／ｆ１＝0.42
【０１６２】
（条件式（６）に関する数値）
｜ν１２−ν１１｜＝62.71
【０１６３】
（条件式（７）に関する数値）
Ｄ／ｆｔ＝2.18
【０１６４】
（条件式（８）に関する数値）
ｆ３／ｆｔ＝0.56
【０１６５】
また、図１２は、実施例６にかかるズームレンズの諸収差図である。図中、ｇはｇ線（λ＝４３５．８３ｎｍ）、ｄはｄ線（λ＝５８７．５６ｎｍ）、ＣはＣ線（λ＝６５６．２７ｎｍ）に相当する波長の収差を表す。そして、非点収差図におけるＳ，Ｍは、それぞれサジタル像面、メリディオナル像面に対する収差を表す。
【実施例７】
【０１６６】
図１３は、実施例７にかかるズームレンズの構成を示す光軸に沿う断面図である。このズームレンズは、図示しない物体側から順に、正の屈折力を有する第１レンズ群Ｇ71と、負の屈折力を有する第２レンズ群Ｇ72と、所定の口径を規定する開口絞りＳＴＯＰと、正の屈折力を有する第３レンズ群Ｇ73と、が配置されて構成される。第３レンズ群Ｇ73と像面ＩＭＧとの間には、カバーガラスＣＧが配置されている。カバーガラスＣＧは必要に応じて配置されるものであり、不要な場合は省略可能である。なお、像面ＩＭＧには、ＣＣＤやＣＭＯＳなどの固体撮像素子の受光面が配置される。
【０１６７】
第１レンズ群Ｇ71は、物体側から順に、正レンズＬ711と、負レンズＬ712と、が配置されて構成される。正レンズＬ711と負レンズＬ712とは、接合されている。
【０１６８】
第２レンズ群Ｇ72は、物体側から順に、負レンズＬ721と、負レンズＬ722と、正レンズＬ723と、が配置されて構成される。
【０１６９】
第３レンズ群Ｇ73は、物体側から順に、正の屈折力を有する前群Ｇ73Fと、負の屈折力を有する中群Ｇ73Mと、正の屈折力を有する後群Ｇ73Rと、が配置されて構成される。前群Ｇ73Fは、正レンズＬ731により構成される。正レンズＬ731の両面には、それぞれ非球面が形成されている。中群Ｇ73Mは、物体側から順に、正レンズＬ732と、負レンズＬ733と、が配置されて構成される。正レンズＬ732と負レンズＬ733とは、接合されている。後群Ｇ73Rは、正レンズＬ734により構成される。
【０１７０】
このズームレンズでは、第３レンズ群Ｇ73を光軸に沿って像面ＩＭＧ側から物体側へ移動させることにより広角端から望遠端への変倍を行う。また、第２レンズ群Ｇ72を光軸に沿って物体側から像面ＩＭＧ側へ移動させることにより変倍にともなう像面位置の変動を補正する。
【０１７１】
以下、実施例７にかかるズームレンズに関する各種数値データを示す。
【０１７２】
（レンズデータ）
ｒ1＝45.8255
ｄ1＝2.44    ｎｄ1＝1.49700    νｄ1＝81.61
ｒ2＝-37.5084
ｄ2＝1.00    ｎｄ2＝1.92286    νｄ2＝18.90
ｒ3＝-43.1291
ｄ3＝D(3)（可変）
ｒ4＝-34.4415
ｄ4＝0.60    ｎｄ3＝1.48749    νｄ3＝70.44
ｒ5＝24.2868
ｄ5＝1.50
ｒ6＝-15.0553
ｄ6＝0.60    ｎｄ4＝1.80610    νｄ4＝33.27
ｒ7＝27.1099
ｄ7＝0.16
ｒ8＝30.9324
ｄ8＝1.79    ｎｄ5＝1.95906    νｄ5＝17.47
ｒ9＝-69.9137
ｄ9＝D(9)（可変）
ｒ10＝∞（開口絞り）
ｄ10＝D(10)（可変）
ｒ11＝10.0000（非球面）
ｄ11＝4.20    ｎｄ6＝1.49710    νｄ6＝81.56
ｒ12＝-13.0693（非球面）
ｄ12＝0.10
ｒ13＝6.7740
ｄ13＝3.95    ｎｄ7＝1.49700    νｄ7＝81.61
ｒ14＝-43.7148
ｄ14＝0.60    ｎｄ8＝1.72825    νｄ8＝28.32
ｒ15＝4.9994
ｄ15＝3.14
ｒ16＝-33.5620
ｄ16＝1.40    ｎｄ9＝1.95906    νｄ9＝17.47
ｒ17＝-14.8863
ｄ17＝D(17)（可変）
ｒ18＝∞
ｄ18＝1.20    ｎｄ10＝1.51633    νｄ10＝64.14
ｒ19＝∞
ｄ19＝D（19）
ｒ20＝∞（像面）
【０１７３】
円錐係数（Ｋ）および非球面係数（Ａ，Ｂ，Ｃ，Ｄ）
（第１１面）
Ｋ＝1.0000，
Ａ＝-1.99962×10-4，Ｂ＝-4.50263×10-7，
Ｃ＝4.52649×10-8，Ｄ＝-3.18138×10-9
（第１２面）
Ｋ＝1.0000，
Ａ＝1.45926×10-4，Ｂ＝4.74004×10-7，
Ｃ＝-2.93705×10-8，Ｄ＝-1.51343×10-9
【０１７４】
（変倍データ）
広角端                  望遠端
ｆ（光学系全系の焦点距離）      9.17                    21.24
Ｆナンバー                      1.64                     2.28
２ω（画角）                   42.66                     17.12
D(3)                            1.2517                  11.0578
D(9)                           12.6519                    2.8459
D(10)                           4.4327                    1.3000
D(17)                           4.4838                    7.6165
D(19)                           1.2647                    1.2653
【０１７５】
ｆｗ（光学系全系の広角端における焦点距離）＝9.17
ｆｔ（光学系全系の望遠端における焦点距離）＝21.24
Ｆｔ（光学系全系の望遠端におけるＦナンバー）＝2.28
ｆ１（第１レンズ群Ｇ71の焦点距離）＝48.27
ｆ２（第２レンズ群Ｇ72の焦点距離）＝-13.76
ｆ３（第３レンズ群Ｇ73の焦点距離）＝11.95
Ｄ（正レンズＬ711の物体側面頂から像面ＩＭＧまでの距離）＝46.40
ν１１（正レンズＬ711のｄ線に対するアッベ数）＝81.61
ν１２（負レンズＬ712のｄ線に対するアッベ数）＝18.90
ν３Ｆ（正レンズＬ731のｄ線に対するアッベ数）＝81.56
ν３Ｂ（正レンズＬ734のｄ線に対するアッベ数）＝17.47
Ｎｄ３Ｆ（正レンズＬ731のｄ線に対する屈折率）＝1.50
Ｎｄ３Ｂ（正レンズＬ734のｄ線に対する屈折率）＝1.96
【０１７６】
（条件式（１）に関する数値）
ｆｗ／ｆ３＝0.77
【０１７７】
（条件式（２）に関する数値）
ｆ３／ｆ２＝-0.87
【０１７８】
（条件式（３）に関する数値）
ν３Ｆ−ν３Ｂ＝64.09
【０１７９】
（条件式（４）に関する数値）
Ｎｄ３Ｂ−Ｎｄ３Ｆ＝0.46
【０１８１】
（条件式（５）に関する数値）
ｆｔ／ｆ１＝0.44
【０１８２】
（条件式（６）に関する数値）
｜ν１２−ν１１｜＝62.71
【０１８３】
（条件式（７）に関する数値）
Ｄ／ｆｔ＝2.18
【０１８４】
（条件式（８）に関する数値）
ｆ３／ｆｔ＝0.56
【０１８５】
また、図１４は、実施例７にかかるズームレンズの諸収差図である。図中、ｇはｇ線（λ＝４３５．８３ｎｍ）、ｄはｄ線（λ＝５８７．５６ｎｍ）、ＣはＣ線（λ＝６５６．２７ｎｍ）に相当する波長の収差を表す。そして、非点収差図におけるＳ，Ｍは、それぞれサジタル像面、メリディオナル像面に対する収差を表す。
【実施例８】
【０１８６】
図１５は、実施例８にかかるズームレンズの構成を示す光軸に沿う断面図である。このズームレンズは、図示しない物体側から順に、正の屈折力を有する第１レンズ群Ｇ81と、負の屈折力を有する第２レンズ群Ｇ82と、所定の口径を規定する開口絞りＳＴＯＰと、正の屈折力を有する第３レンズ群Ｇ83と、が配置されて構成される。第３レンズ群Ｇ83と像面ＩＭＧとの間には、カバーガラスＣＧが配置されている。カバーガラスＣＧは必要に応じて配置されるものであり、不要な場合は省略可能である。なお、像面ＩＭＧには、ＣＣＤやＣＭＯＳなどの固体撮像素子の受光面が配置される。
【０１８７】
第１レンズ群Ｇ81は、物体側から順に、負レンズＬ811と、正レンズＬ812と、が配置されて構成される。
【０１８８】
第２レンズ群Ｇ82は、物体側から順に、負レンズＬ821と、負レンズＬ822と、正レンズＬ823と、が配置されて構成される。
【０１８９】
第３レンズ群Ｇ83は、物体側から順に、正の屈折力を有する前群Ｇ83Fと、負の屈折力を有する中群Ｇ83Mと、正の屈折力を有する後群Ｇ83Rと、が配置されて構成される。前群Ｇ83Fは、正レンズＬ831により構成される。正レンズＬ831の両面には、それぞれ非球面が形成されている。中群Ｇ83Mは、物体側から順に、正レンズＬ832と、負レンズＬ833と、が配置されて構成される。正レンズＬ832と負レンズＬ833とは、接合されている。後群Ｇ83Rは、正レンズＬ834により構成される。
【０１９０】
このズームレンズでは、第３レンズ群Ｇ83を光軸に沿って像面ＩＭＧ側から物体側へ移動させることにより広角端から望遠端への変倍を行う。また、第２レンズ群Ｇ82を光軸に沿って物体側から像面ＩＭＧ側へ移動させることにより変倍にともなう像面位置の変動を補正する。
【０１９１】
以下、実施例８にかかるズームレンズに関する各種数値データを示す。
【０１９２】
（レンズデータ）
ｒ1＝41.5895
ｄ1＝1.00    ｎｄ1＝1.92286    νｄ1＝18.90
ｒ2＝34.9900
ｄ2＝0.10
ｒ3＝34.9617
ｄ3＝2.40    ｎｄ2＝1.497    νｄ2＝81.61
ｒ4＝-49.0236
ｄ4＝D(4)（可変）
ｒ5＝-31.5013
ｄ5＝0.60    ｎｄ3＝1.48749    νｄ3＝70.44
ｒ6＝25.7445
ｄ6＝1.45
ｒ7＝-15.6092
ｄ7＝0.60    ｎｄ4＝1.8044    νｄ4＝39.59
ｒ8＝37.1532
ｄ8＝0.15
ｒ9＝43.5974
ｄ9＝1.68    ｎｄ5＝1.95906    νｄ5＝17.47
ｒ10＝-69.1402
ｄ10＝D(10)（可変）
ｒ11＝∞（開口絞り）
ｄ11＝D(11)（可変）
ｒ12＝10.0000（非球面）
ｄ12＝4.02    ｎｄ6＝1.4971    νｄ6＝81.56
ｒ13＝-13.8359（非球面）
ｄ13＝0.10
ｒ14＝6.7400
ｄ14＝4.05    ｎｄ7＝1.497    νｄ7＝81.61
ｒ15＝-37.8748
ｄ15＝0.60    ｎｄ8＝1.74077    νｄ8＝27.76
ｒ16＝5.1025
ｄ16＝2.72
ｒ17＝-52.8147
ｄ17＝1.80    ｎｄ9＝1.95906    νｄ9＝17.47
ｒ18＝-16.6498
ｄ18＝D(18)（可変）
ｒ19＝∞
ｄ19＝1.20    ｎｄ10＝1.51633    νｄ10＝64.14
ｒ20＝∞
ｄ20＝D（20）
ｒ21＝∞（像面）
【０１９３】
円錐係数（Ｋ）および非球面係数（Ａ，Ｂ，Ｃ，Ｄ）
（第１２面）
Ｋ＝1.0000，
Ａ＝-1.78873×10-4，Ｂ＝2.04221×10-6，
Ｃ＝-4.20470×10-8，Ｄ＝-2.08204×10-11
（第１３面）
Ｋ＝1.0000，
Ａ＝1.59641×10-4，Ｂ＝1.20964×10-6，
Ｃ＝-1.34776×10-8，Ｄ＝-3.03134×10-10
【０１９４】
（変倍データ）
広角端                  望遠端
ｆ（光学系全系の焦点距離）      9.22                    21.24
Ｆナンバー                      1.64                     2.29
２ω（画角）                   42.44                     17.13
D(4)                            1.2517                  11.0578
D(10)                          12.6519                    2.8459
D(11)                           4.4609                    1.3000
D(18)                           4.6562                    7.8171
D(20)                           1.2536                    1.2463
【０１９５】
ｆｗ（光学系全系の広角端における焦点距離）＝9.22
ｆｔ（光学系全系の望遠端における焦点距離）＝21.24
Ｆｔ（光学系全系の望遠端におけるＦナンバー）＝2.29
ｆ１（第１レンズ群Ｇ81の焦点距離）＝49.91
ｆ２（第２レンズ群Ｇ82の焦点距離）＝-13.91
ｆ３（第３レンズ群Ｇ83の焦点距離）＝11.89
Ｄ（負レンズＬ811の物体側面頂から像面ＩＭＧまでの距離）＝46.40
ν１１（負レンズＬ811のｄ線に対するアッベ数）＝18.90
ν１２（正レンズＬ812のｄ線に対するアッベ数）＝81.61
ν３Ｆ（正レンズＬ831のｄ線に対するアッベ数）＝81.56
ν３Ｂ（正レンズＬ834のｄ線に対するアッベ数）＝17.47
Ｎｄ３Ｆ（正レンズＬ831のｄ線に対する屈折率）＝1.50
Ｎｄ３Ｂ（正レンズＬ834のｄ線に対する屈折率）＝1.96
【０１９６】
（条件式（１）に関する数値）
ｆｗ／ｆ３＝0.78
【０１９７】
（条件式（２）に関する数値）
ｆ３／ｆ２＝-0.85
【０１９８】
（条件式（３）に関する数値）
ν３Ｆ−ν３Ｂ＝64.09
【０１９９】
（条件式（４）に関する数値）
Ｎｄ３Ｂ−Ｎｄ３Ｆ＝0.46
【０２０１】
（条件式（５）に関する数値）
ｆｔ／ｆ１＝0.43
【０２０２】
（条件式（６）に関する数値）
｜ν１２−ν１１｜＝62.71
【０２０３】
（条件式（７）に関する数値）
Ｄ／ｆｔ＝2.18
【０２０４】
（条件式（８）に関する数値）
ｆ３／ｆｔ＝0.56
【０２０５】
また、図１６は、実施例８にかかるズームレンズの諸収差図である。図中、ｇはｇ線（λ＝４３５．８３ｎｍ）、ｄはｄ線（λ＝５８７．５６ｎｍ）、ＣはＣ線（λ＝６５６．２７ｎｍ）に相当する波長の収差を表す。そして、非点収差図におけるＳ，Ｍは、それぞれサジタル像面、メリディオナル像面に対する収差を表す。
【０２０６】
なお、上記各実施例中の数値データにおいて、ｒ1，ｒ2，・・・・は各レンズ、開口絞り面などの曲率半径、ｄ1，ｄ2，・・・・は各レンズ、開口絞りなどの肉厚またはそれらの面間隔、ｎｄ1，ｎｄ2，・・・・は各レンズなどのｄ線（λ＝５８７．５６ｎｍ）に対する屈折率、νｄ1，νｄ2，・・・・は各レンズなどのｄ線（λ＝５８７．５６ｎｍ）に対するアッベ数を示している。そして、長さの単位はすべて「ｍｍ」、角度の単位はすべて「°」である。
【０２０７】
また、上記各非球面形状は、光軸からの高さをＨ、レンズ面頂点を原点としたときの高さＨにおける光軸方向の変位量をＸ（Ｈ）、近軸曲率半径をＲ、円錐係数をＫ、４次，６次，８次，１０次の非球面係数をそれぞれＡ，Ｂ，Ｃ，Ｄとし、光の進行方向を正とするとき、以下に示す式により表される。
【０２０８】
【数１】
0005706798.tif 000002
【０２０９】
以上説明したように、上記各実施例のズームレンズは、可視域から近赤外域までの広い波長域の光に対して良好な収差補正を実現し、明るい良質な画像が得られる。特に、上記各条件式を満足することにより、小型でありながら、広い波長域の光に対して結像性能を劣化させる原因となる諸収差を良好に補正することができる。加えて、高変倍も可能になる。また、適宜、非球面レンズや接合レンズを配置して構成することで、より小型で、優れた結像性能を備えることができる。
【産業上の利用可能性】
【０２１０】
以上のように、この発明にかかるズームレンズは、固体撮像素子が搭載された撮像装置に有用であり、特に、昼夜間使用される監視カメラに最適である。
【符号の説明】
【０２１１】
Ｇ11，Ｇ21，Ｇ31，Ｇ41，Ｇ51，Ｇ61，Ｇ71，Ｇ81  第１レンズ群
Ｇ12，Ｇ22，Ｇ32，Ｇ42，Ｇ52，Ｇ62，Ｇ72，Ｇ82  第２レンズ群
Ｇ13，Ｇ23，Ｇ33，Ｇ43，Ｇ53，Ｇ63，Ｇ73，Ｇ83  第３レンズ群
Ｇ13F，Ｇ23F，Ｇ33F，Ｇ43F，Ｇ53F，Ｇ63F，Ｇ73F，Ｇ83F  前群
Ｇ13M，Ｇ23M，Ｇ33M，Ｇ43M，Ｇ53M，Ｇ63M，Ｇ73M，Ｇ83M  中群
Ｇ13R，Ｇ23R，Ｇ33R，Ｇ43R，Ｇ53R，Ｇ63R，Ｇ73R，Ｇ83R  後群
Ｌ111，Ｌ121，Ｌ122，Ｌ133，Ｌ211，Ｌ221，Ｌ222，Ｌ232，Ｌ234，Ｌ311，Ｌ321，Ｌ322，Ｌ334，Ｌ411，Ｌ421，Ｌ422，Ｌ433，Ｌ511，Ｌ521，Ｌ522，Ｌ533，Ｌ611，Ｌ621，Ｌ622，Ｌ633，Ｌ712，Ｌ721，Ｌ722，Ｌ733，Ｌ811，Ｌ821，Ｌ822，Ｌ833  負レンズ
Ｌ112，Ｌ123，Ｌ131，Ｌ132，Ｌ134，Ｌ212，Ｌ223，Ｌ231，Ｌ233，Ｌ235，Ｌ312，Ｌ323，Ｌ331，Ｌ332，Ｌ333，Ｌ335，Ｌ412，Ｌ423，Ｌ431，Ｌ432，Ｌ434，Ｌ512，Ｌ523，Ｌ531，Ｌ532，Ｌ534，Ｌ612，Ｌ623，Ｌ631，Ｌ632，Ｌ634，Ｌ711，Ｌ723，Ｌ731，Ｌ732，Ｌ734，Ｌ812，Ｌ823，Ｌ831，Ｌ832，Ｌ834  正レンズ
ＳＴＯＰ  開口絞り
ＩＭＧ  像面
ＣＧ  カバーガラス
【図１】
0005706798.tif 000003
【図２】
0005706798.tif 000004
【図３】
0005706798.tif 000005
【図４】
0005706798.tif 000006
【図５】
0005706798.tif 000007
【図６】
0005706798.tif 000008
【図７】
0005706798.tif 000009
【図８】
0005706798.tif 000010
【図９】
0005706798.tif 000011
【図１０】
0005706798.tif 000012
【図１１】
0005706798.tif 000013
【図１２】
0005706798.tif 000014
【図１３】
0005706798.tif 000015
【図１４】
0005706798.tif 000016
【図１５】
0005706798.tif 000017
【図１６】
0005706798.tif 000018